(57)【要約】【課題】  羊毛の精錬方法を提供する。【解決手段】  本発明は、羊毛を、アルコールアルコキシレート、水、ならびに安定剤および／または分散剤として作用するヒドロトロープなどの任意選択の添加剤を含む水性組成物と接触させることにより羊毛を精錬する方法を提供する。上記組成物は、ラノリン回収率を高いレベルに保ちながら、羊毛の精錬における高い洗浄力と、室温またはより低温で保存された場合の高い安定性の両方を示すことがわかった。【選択図】  図１【特許請求の範囲】
【請求項１】
羊毛の精錬方法であって、下記一般式（Ｉ）：
ＲＯ（ＡＯ）ｎ−Ｈ    （Ｉ）
（式中、Ｒは４〜２２個の炭素原子を有する直鎖または分岐鎖ヒドロカルビル基を表し、ＡＯは２〜６個の炭素原子を有するアルキレンオキシ単位を表し、ｎは１〜２０の範囲にあり、アルコールアルコキシレートの４０ｗｔ％以上が２〜２０の範囲のアルコールアルキレンオキシ単位付加の分布を有する）のアルコールアルコキシレートを含む水性組成物と羊毛を接触させることを含む前記方法。
【請求項２】
前記アルコールアルコキシレートの４０ｗｔ％以上が、４〜９の範囲の前記アルコールアルキレンオキシ単位付加の分布を有する、請求項１に記載の方法。
【請求項３】
前記アルコールアルコキシレートの４０ｗｔ％以上が、４〜７の範囲の前記アルコールアルキレンオキシ単位付加の分布を有する、請求項１に記載の方法。
【請求項４】
ＡＯは、エチレンオキシド単位、プロピレンオキシド単位、またはそれらの組み合わせから選択される、請求項１に記載の方法。
【請求項５】
ＡＯは、エチレンオキシド単位とプロピレンオキシド単位の前記組み合わせから選択され、前記エチレンオキシド単位付加は２〜９の範囲内であり、前記プロピレンオキシド単位付加は０〜５の範囲内である、請求項３に記載の方法。
【請求項６】
Ｒは４〜２２個の炭素原子を有する直鎖または分岐鎖ヒドロカルビル基を表す、請求項１に記載の方法。
【請求項７】
Ｒは６〜１３個の炭素原子を有する直鎖または分岐鎖ヒドロカルビル基を表す、請求項１に記載の方法。
【請求項８】
Ｒは９〜１１個の炭素原子を有する直鎖または分岐鎖ヒドロカルビル基を表す、請求項１に記載の方法。
【請求項９】
前記組成物は、下記式（ＩＩ）を有するビス（エトキシル化）モノアルキル第四級アンモニウム化合物
【化１】
2017503090.tif 000006
（式中、ＲはＣ６〜Ｃ２２ヒドロカルビル、好ましくはＣ６〜Ｃ２２アルキルまたはアルケニル、より好ましくはＣ８〜Ｃ２０アルキルまたはアルケニル、最も好ましくはＣ１０〜Ｃ１８アルキルまたはアルケニルであり；Ｒ１はＣ１〜Ｃ４アルキル、好ましくはメチルまたはエチル、最も好ましくはメチルであり；ｘは１〜４０の数であり；ｙは、ｘ＋ｙの合計が８〜２５の範囲となる１〜４０の数であり；Ａ−はアニオンである）から選択されるヒドロトロープを更に含む、請求項１に記載の方法。
【請求項１０】
式（Ｉ）の前記アルコールアルコキシレートと式（ＩＩ）の前記ヒドロトロープとの重量比が９９：１〜６０：４０である、請求項９に記載の方法。
【請求項１１】
前記組成物中の、式（Ｉ）の前記アルコールアルコキシレートと、存在する場合は式（ＩＩ）の前記ヒドロトロープとの合計量が、１０〜１０００ｐｐｍである、請求項１〜１０のいずれか１項に記載の方法。
【発明の詳細な説明】
【技術分野】
【０００１】
本発明は、羊毛の精錬方法（a method for scouring wool）に関し、詳細にはアルコールアルコキシレートを含む組成物を用いて羊毛を精錬する方法に関する。
【背景技術】
【０００２】
「グリージーウール」（greasy wool）または「脂付羊毛」（wool in the grease）として知られる、羊から取ったままの羊毛は、高レベルのラノリン（lanolin）、ならびに土、死んだ皮膚、汗の残留物、農薬、および植物性物質を含有する。商業目的で使用できるようになる前に、羊毛はグリージーウールを洗浄するプロセスを通じて精錬する必要がある。精錬（scouring）は、温水浴のように単純でもよく、または洗剤およびアルカリ、ならびに特殊な装置を使用する工業プロセスのように複雑でもよい。
【０００３】
羊毛から除去されたラノリンは有用であり、例えば、ハンドクリームなどの化粧品に広く使用されている。典型的には、ラノリンは、特別な羊毛精錬洗剤を用いて羊毛を熱水で洗浄し、土、ウールグリース（粗ラノリン）、スイント（汗の塩分）、および羊毛への他の付着物を取り除くことにより抽出される。ウールグリースは、この洗浄プロセスの間に、遠心分離機により連続的に除去され、遠心分離機は、ウールグリースを、約３６〜４２℃（９６〜１０８°Ｆ）で融解する蝋状の物質に濃縮する。
【０００４】
多くの天然物と同様に、ラノリンの組成は複雑かつ可変である。例えば、典型的な高純度のラノリンは、大部分が長鎖の蝋状エステル（約９７重量％）から成り、残りはラノリンアルコール、ラノリン酸、およびラノリン炭化水素である。ラノリンには、今までに同定されている２００ほどの異なるラノリン酸と１００ほどの異なるラノリンアルコールの間の組み合わせから生じる、８，０００〜２０，０００種類の異なるラノリンエステルが存在すると推定される。ラノリンの、長鎖エステル、ヒドロキシエステル、ジエステル、ラノリンアルコール、およびラノリン酸の複雑な組成が原因で、効率的かつ迅速に羊毛からラノリンおよび不純物を取り除くことが可能な洗剤の開発が常に必要とされてきた。
【０００５】
一般に、羊毛の精錬に使用される洗剤を評価するには２つの主要な基準がある。すなわち、１）通常は洗浄後の羊毛の白さおよび羊毛に残留するグリースによって特徴付けられる脱脂効率、および２）廃水からのラノリン回収効率である。新しく開発された洗剤について、両方の基準が、羊毛精錬産業において使用されている従来の洗剤に相当するまたは従来の洗剤よりも良い必要があり、それによりラノリンの量、および質すなわち異物がないことの両方が最適化され、経済的利益が最大化されることが好ましい。更に、提案された洗剤の環境面も考慮に入れる必要があるであろう。したがって、高効率の洗剤を手にすることが好ましく、それにより使用する洗剤を少量で済ますことができ、洗剤は容易に生分解されると更に好ましい。
【０００６】
ＷＯ９４／００５０８は、特にＣ１４〜Ｃ２２アルキ（ケニ）ル基および／または分子の周辺の他の部分に官能基の置換基を有する、アルケニルコハク酸無水物から誘導された化合物が、著しくかつ驚くほど異なる性質を有する材料を与えることを開示した。特に水性系において、それらは特に高温における良好な性能を示す予想外の曇点特性（cloud point properties）を有する非イオン性界面活性剤として良好に作用し、アルカリ性条件において良好な挙動を有する。また、上記界面活性剤は良好な生分解性を有する。羊毛の精錬を含む、上記界面活性剤の最終用途も開示された。上記界面活性剤が非常に有効な羊毛精錬用界面活性剤であり、特に複数回の精錬サイクル後にも、微細繊維の羊毛の精錬に使用された場合であっても良好な活性を保持することが言及された。上記参考文献は、羊毛の精錬における良好な性能を有する特定の界面活性剤を開示したが、その界面活性剤を含む組成物およびそのような特定の組み合わせを羊毛の精錬プロセス用の洗剤として使用することには焦点を合わせていなかった。
【０００７】
ＷＯ９９／１６９４２は、羊毛などの繊維を、変更を加えた精錬機で精錬し、化学的に処理していくつかの重要な品質パラメータに関して大幅に改良された精練繊維を生成する方法を開示した。一般に、上記方法は、酸抽出、漂白、化学的還元、ならびに洗剤および分散剤での処理をされた羊毛などの繊維を得るための一連の段階的なプロセスを含み、このプロセスにおいて、非イオン性洗剤が繊維の精錬に使用され、繊維を更に精錬するために低発泡非イオン性洗剤が分散剤および任意選択の還元剤と共に使用され、繊維から鉄を抽出するためにＥＤＴＡが硫酸および任意選択の還元剤と共に使用された。上記方法は、異なる処理ステップを組み合わせた複雑なプロセスであり、異なる処理ステップにおいてそれぞれ異なる化学物質が使用される。
【先行技術文献】
【特許文献】
【０００８】
[特許文献１]国際公開第９４／００５０８号公報
[特許文献２]国際公開第９９／１６９４２号公報
【発明の概要】
【課題を解決するための手段】
【０００９】
本発明は、アルコールアルコキシレートを含む組成物を用いて羊毛を精錬する方法を提供する。上記組成物は、比較的少ない用量で羊毛を脱脂することができ、より迅速に羊毛からラノリンまたはグリースを取り除くことができる。更に、上記組成物は優れた貯蔵安定性を有し、従来の洗剤で観察された貯蔵の問題のいくつかを打開する。
【００１０】
本発明は、アルコールアルコキシレート、水、および任意選択の添加剤を含む水性組成物に基づく一連の羊毛精錬洗剤（wool scouring detergents）を開発した。前記添加剤は、ヒドロトロープとして作用する第四級アンモニウム化合物、土の粒子を懸濁させ、汚れの再堆積を防ぐポリマー分散剤、Ｃａ２＋、Ｍｇ２＋などの金属イオンをキレートするキレート剤、および配合物の不凍安定性を改善し、生成物のレオロジーを改質するフィラーを含むが、これらに限定されない。本発明に係る組成物は、ラノリンの回収効率および純度の向上と共に、羊毛の精錬における高い洗浄力と広い温度範囲にわたる高い安定性の両方を示すことがわかった。
【００１１】
本発明によれば、界面活性剤として使用されるアルコールアルコキシレートは、下記一般式（Ｉ）：
ＲＯ（ＡＯ）ｎ−Ｈ    （Ｉ）
（式中、Ｒは、４〜２２個の炭素原子、好ましくは６〜１３個の炭素原子、より好ましくは９〜１１個の炭素原子を有する直鎖または分岐鎖ヒドロカルビル基を表す）のアルコールアルコキシレート混合物の形態である。
【００１２】
上記式（Ｉ）中、ＡＯはＣ２〜Ｃ６アルキレンオキシ（alkyleneoxy）単位を表し、ｎは１〜２０、好ましくは２〜９、より好ましくは４〜７である。「ｎ」は式（Ｉ）の界面活性剤１モル当たりに付加されるアルキレンオキシ単位のモル数を意味し、これは、平均値である。
【００１３】
洗剤の溶解度およびラノリンを乳化する能力は、組成物に使用されるアルコールアルコキシレートのＨＬＢ値と関係している。本発明において別途指示しない限り、ＨＬＢ値は、本発明において言及されるカチオン性界面活性剤および非イオン性界面活性剤の両方について、デイビススケール（０〜４０）に従って計算される。一般に、アルコールアルコキシレートの疎水性アルキル鎖および親水性アルキルオキシ鎖の両方の長さが、結果として生じるアルコールアルコキシレートのＨＬＢ値を決定する。好ましくは、本発明で使用されるアルコールアルコキシレートは、１０．０〜１５．０のＨＬＢを有する。加えて、上で定義したようなアルキルオキシ鎖を有するアルコールアルコキシレートを含むことにより、アルコールアルコキシレートが、羊毛の精錬プロセスの間は安定に保たれるが、ラノリン回収温度までまたはラノリン回収温度を超えて温度を上昇させると濁るまたは相分離するように、結果として生じる羊毛精錬組成物の曇点（cloud point）は所定の範囲に保たれる。これは、曇点より高い温度では、アルコールアルコキシレートが効果的な乳化剤としての挙動を示さないためである。その結果、ラノリン回収プロセスにおいてラノリンの容易な解乳化（demulsification）が達成されることがわかった。更に、本発明に係る比較的短い親水性のアルキルオキシ鎖を有するアルコールアルコキシレートは、長い親水性アルキルオキシ鎖を有するものと比較して改良された生分解性を有し、したがってより環境負荷が小さいことがわかった。
【００１４】
驚くべきことに、アルコールアルコキシレートにおけるアルキレンオキシ単位分布が、ラノリンの洗浄力および回収に対する大きな影響を示すこともわかった。具体的には、アルキレンオキシ単位分布の範囲の狭いアルコールアルコキシレートが本発明の洗剤組成物において界面活性剤として使用された場合、アルキレンオキシ単位の広い分布範囲について観察されたものと比較して、より効果的な洗浄力およびラノリンのより完全な分離をもたらすことが観察された。
【００１５】
本発明に従って使用されるアルコールアルコキシレートは、未反応のアルコール残留分、アルキレンオキシ単位の付加が少ないアルコールアルコキシレート、およびアルキレンオキシ単位が過剰に付加したアルコールアルコキシレートを本質的に含む混合物である。既存の理論に束縛されるものではないが、未反応のアルコール残留分およびアルキレンオキシ単位の付加が少ないアルコールアルコキシレートは、脱脂された羊毛の望ましくない臭気をもたらす場合があり、アルキレンオキシ単位が過剰に付加したアルコールアルコキシレートは、混合アルコールアルコキシレートの曇点を、例えばラノリンの回収温度より上に上昇させ、ラノリンの回収効率を低下させるという悪影響を及ぼす場合があることがわかった。
【００１６】
本明細書で使用される「狭い範囲」という用語は、組成物中に使用されるアルコールアルコキシレートが、通常のアルコールアルコキシレート、すなわち「広い範囲」のアルコールアルコキシレートよりも狭いアルキレンオキシ付加のモル数の分布を有することを意味する。具体的には、本発明において使用される狭い範囲のアルコールアルコキシレートは、２０以下、好ましくは９以下、より好ましくは７以下のアルキレンオキシ単位付加のモル数分布を有し、一方、アルキレンオキシ単位のモル数は、好ましくは２以上、より好ましくは４以上である。当業者であれば理解するように、アルコールアルコキシレートの調製プロセスに起因して、最終生成物は実際には異なるモル数のアルキレンオキシ単位付加を有するアルコールアルコキシレート、および低い含有量の未反応アルコールなどの原材料の混合物の形態である。アルコキシ化触媒としてＫＯＨ、ＮａＯＨなどを使用してアルコールアルコキシレートを生成する通常のプロセスでは、アルキレンオキシ単位付加のモル数の分布の広がりは大きく、例えばAKZO NOBEL N.V.により１９９７年１１月２４日に出願されたＥＰ０８４５４４９Ｂ１に係るプロセスなどの特定のプロセスでは、通常のプロセスで得られるよりもアルキレンオキシ単位付加のモル数のより狭い分布が達成された。
【００１７】
本発明によれば、アルコールアルコキシレートの狭い範囲の混合物は、アルコールアルコキシレートの４０ｗｔ％以上、好ましくは６０ｗｔ％以上、より好ましくは７０ｗｔ％以上が、２０以下、好ましくは９以下、より好ましくは７以下のアルキレンオキシ単位付加のモル数分布を有し、一方、アルキレンオキシ単位付加のモル数は、好ましくは２以上、より好ましくは４以上である。
【００１８】
本発明に係る組成物において使用されるアルコールアルコキシレートは、水溶液として提供されるという利点を有する。上述のように、本発明に係る組成物の曇点は比較的低く、実際には室温付近に保たれる。したがって、羊毛精錬プロセスまたはラノリン回収プロセスのいずれかにおいて通常適用される室温以上の温度では、組成物に使用される異なるアルコールアルコキシレートの特性によっては、本発明の組成物は濁りやすい、または更にアルコールアルコキシレートと水の２相に分離しやすい。６５〜７０℃の羊毛精錬温度などの高温において配合物を安定化させるには、組成物に更にヒドロトロープを加え、そうでなければ不溶性の非イオン性界面活性剤が溶液に溶解し、濡れ性を発揮できるように、非イオン性界面活性剤を可溶化して組成物の濡れ性を高める必要がある。非イオン性界面活性剤用のいくつかのヒドロトロープは、様々な刊行物に記載されている。一般に、本発明の洗剤組成物における使用に適したヒドロトロープは、上記式（Ｉ）に係る非イオン性界面活性剤を効率良く可溶化することが望ましい。
【００１９】
本発明によれば、ヒドロトロープは更に選択され、ヒドロトロープが配合物に及ぼす悪影響、例えば余分な発泡、ラノリン回収の低下などを最小化するまたは取り除く。このようなヒドロトロープの例として、以下の式（ＩＩ）のビス（エトキシル化）モノアルキル第四級アンモニウム化合物が挙げられるが、これに限定はされない。
【化１】
2017503090.tif 000002
式中、ＲはＣ６〜Ｃ２２ヒドロカルビル、好ましくはＣ６〜Ｃ２２アルキルまたはアルケニル、より好ましくはＣ８〜Ｃ２０アルキルまたはアルケニル、最も好ましくはＣ１０〜Ｃ１８アルキルまたはアルケニルであり；Ｒ１はＣ１〜Ｃ４アルキル、好ましくはメチルまたはエチル、最も好ましくはメチルであり；ｘは１〜４０の数であり；ｙは、１〜４０の数であり、ただしｘ＋ｙは、少なくとも８、好ましくは少なくとも９、最も好ましくは少なくとも１０であり、且つ、最大２５、好ましくは最大２０、最も好ましくは最大１７である；Ａ−はアニオン、例えばハロゲン化物イオンまたはメチル硫酸イオンである。ｘおよびｙの個々の値は重要ではないが、その合計はこれらの化合物のＨＬＢに影響するため重要である。好ましくは、本発明において有用なアンモニウム化合物は、２５．０〜３１．０のＨＬＢを有し、非イオン性界面活性剤の非常に高効率なヒドロトロープ（hydrotropes）であり、したがって、これらの化合物は、これらの化合物が非イオン性界面活性剤と共に存在する組成物の洗浄性能に役立つ。
【００２０】
本発明の組成物において使用される場合、アルコールアルコキシレートとビス（エトキシル化）モノアルキル第四級アンモニウム化合物の間の重量比は、９９：１〜６０：４０、好ましくは９０：１０〜７０：３０である。
【００２１】
本発明に係る組成物は、水性系に希釈されるように設計されている。羊毛のグリースレベルおよび汚染物の組成は多岐にわたるため、最終的に使用する溶液における洗剤の濃度はそれに応じて調整できる。具体的には、前記水性系における、式（Ｉ）のアルコールアルコキシレートと、存在する場合は式（ＩＩ）のヒドロトロープとの合計量は、１０ｐｐｍ超かつ１０００ｐｐｍ未満、好ましくは１００ｐｐｍ超かつ１０００ｐｐｍ未満である。
【００２２】
本発明の１つの態様において、羊毛の精錬方法が提供される。上記方法は、羊毛を、一般式（Ｉ）のアルコールアルコキシレートを含む組成物と接触させることを含む。
【００２３】
本発明の実施形態の１つによれば、本発明の組成物に使用されるアルコールアルコキシレートは、狭い範囲のアルキレンオキシ単位分布を有し、アルコールアルコキシレートの４０ｗｔ％以上、好ましくは６０ｗｔ％以上、より好ましくは７０ｗｔ％以上が、２０以下、好ましくは９以下、より好ましくは７以下のアルキレンオキシ単位付加の分布を有し、一方、アルキレンオキシ単位の付加は、好ましくは２以上、より好ましくは４以上である。
【００２４】
本発明の実施形態の１つによれば、一般式（Ｉ）のアルコールアルコキシレートは、アルコールエトキシレート、アルコールプロポキシレートまたはそれらの組み合わせから選択され、式中のＡＯはエチレンオキシ単位、プロピレンオキシ単位、またはそれらの組み合わせを示し、Ｒおよびｎは上で定義した通りである。アルコールエトキシレートとアルコールプロポキシレートの組み合わせの場合、エチレンオキシド単位の付加は平均で２〜９の範囲内であり、プロピレンオキシド単位の付加は平均で０〜５の範囲内である。
【００２５】
本発明の実施形態の１つによれば、式（ＩＩ）のビス（エトキシル化）モノアルキル第四級アンモニウム化合物から選択されるヒドロトロープは、式（Ｉ）のアルコールアルコキシレートと式（ＩＩ）のビス（エトキシル化）モノアルキル第四級アンモニウム化合物の間の重量比が９９：１〜６０：４０、好ましくは９０：１０〜７０：３０となる量で含まれる。
【００２６】
本発明の実施形態の１つによれば、本発明に係る組成物は、前記水性系における、式（Ｉ）のアルコールアルコキシレートと、存在する場合は式（ＩＩ）のヒドロトロープとの合計量が、１０ｐｐｍ超かつ１０００ｐｐｍ未満、好ましくは１００ｐｐｍ超かつ１０００ｐｐｍ未満となる濃度まで、水性系に希釈されるように設計されている。
【００２７】
上述の成分に加え、組成物は、他の任意選択の添加剤、例えばアルキルグルコシド、硫酸アルキル、アルキルエーテル硫酸塩などをも含有してもよい。更に、組成物は、ポリマー分散剤、キレート薬、酵素、ｐＨ調整剤、殺菌剤、香料、着色剤、およびレオロジー改質剤、ならびに濃縮洗剤に通常見られる他の成分をも含有してもよい。
【００２８】
本発明の更に別の態様において、本発明に係る組成物の使用が提供される。一般に、本発明に係る組成物を、羊毛の精錬プロセスおよび／またはラノリン回収において、洗剤として使用してもよいが、これは本発明を特定の範囲に限定することを目的とするものではない。
【００２９】
本発明の組成物によって達成される利点は次のようなものである。
【００３０】
１）１分子当たりのアルキレンオキシド単位の数が少ないアルコールアルコキシレートを使用することにより、本発明の組成物は、羊毛精錬に使用される従来の洗剤と比較して優れた洗浄効率を示す。
【００３１】
２）本発明の組成物は、より良好なラノリン回収をもたらすことができる。上述のように、１分子当たりのアルキレンオキシド単位の数が少ないアルコールアルコキシレートは、精錬プロセス下においてはラノリンと安定なエマルションを形成するが、曇点よりも高い温度が通常適用される回収プロセスにおいてラノリンを乳化することはできない。したがって、エマルションが破壊され、アルコールアルコキシレートが、アルキレンオキシド単位の数が多いものと比較して、ずっと多くのラノリンを放出することができる。
【００３２】
３）本発明の組成物は、優れた製品安定性を示す。それらの寒冷地の冬季であっても、濁るまたは相分離することなく長期間保存できる。
【００３３】
添付図面を参照して実施形態で説明することにより、本発明の上記および他の目的、特徴、および利点は、当業者にとってより明らかになるであろう。
【図面の簡単な説明】
【００３４】
【図１】異なる洗剤配合物を用いてすすぎおよび乾燥を行った後の羊毛の白さを示す写真である。
【図２】異なる洗剤配合物での異なる時点におけるラノリン回収効率テストの結果を示す写真である。
【図３】異なる洗剤配合物での分離テストの結果を示す写真である。
【発明を実施するための形態】
【００３５】
［実験］
以下の実施例は説明のために与えられ、請求項に係る発明を限定するものではない。別途記載しない限り、全ての百分率は重量パーセントである。
【実施例１】
【００３６】
表１に記載の組成の洗剤配合物を作成した。高温において配合物を安定化させ、洗浄を補助するため、ヒドロトロープとして第四級アンモニウム化合物を加えた。
【００３７】
表１の配合物の洗浄効率を評価するため、以下の羊毛精錬テストを使用した。８００ｇの熱浴（６５〜７０℃）を３つ調製し、第２の熱浴のみに洗剤混合物（０．０１％）を含有させ、残りの２つは水道水のみとした。続いて、汚れた原毛（２０ｇ）を洗浄し（それぞれの熱浴で５分）、絞って乾燥させ、次々に熱浴に移した。このプロセスは、第１の熱浴をスイントの堆積用、第２の熱浴を主に羊毛の洗浄用、第３の熱浴をすすぎ用として、簡略化された羊毛精錬プロセスを模倣するように設計された。
【００３８】
すすぎおよび乾燥後の羊毛の白さに基づいて洗剤効率を評価し、表１にまとめた。
【００３９】
【表１】
2017503090.tif 000003
【００４０】
洗浄力の結果を＃１、＃２、＃３、および＃４と比較すると、ヒドロトロープ濃度の上昇により、洗浄された羊毛の白さが改善されることは明白である。混合物が３０％のヒドロトロープからなる場合、洗浄された羊毛の白さは、ＮＰ−９で洗浄された羊毛の白さに相当する。非イオン性界面活性剤の洗浄力効率は、ヒドロトロープの濃度と相関関係がある界面活性剤の曇点による制約を受けるため、この一連の精錬結果は、最適な洗浄力効率を達成するためにはヒドロトロープ濃度が重要であることを実証する。
【実施例２】
【００４１】
［ヒドロトロープテスト］
本実施例では、表２に記載の複数のヒドロトロープを用いて配合物を作製し、ヒドロトロープ効率を比較した。室温において配合物を透明にするのに加えなければならないヒドロトロープの量が少ないほど、可溶化剤として効果的である。表２における数値はｗｔ％単位で表示され、合計を１００％に合わせるために水が加えられる。
【００４２】
【表２】
2017503090.tif 000004
【実施例３】
【００４３】
［ラノリン回収効率テスト］
ラノリン回収効率を比較するため、１．００ｇの洗剤、８．００ｇのＨ２Ｏ、および０．５０ｇのラノリンを用いた一連の配合物をよく混合し、写真を撮影して７０℃での解乳化プロセスの特徴を明らかにした。
【００４４】
図２および３に示すように、並べられているのは、左から右に向かって、Ｃ９〜１１アルコール＋４ＥＯ（狭い範囲のエトキシレート）、Ｃ９〜１１アルコール＋５．５ＥＯ（狭い範囲のエトキシレート）、Ｃ９〜１１アルコール＋６ＥＯ（通常の範囲のエトキシレート）、Ｃ９〜１１アルコール＋８ＥＯ（通常の範囲のエトキシレート）、およびノニルフェノール＋９ＥＯの洗剤である。ラノリンは、薄い琥珀色に見える非イオン性界面活性剤層に濃縮された。結果から、Ｃ９〜１１アルコール＋４ＥＯ（狭い範囲のエトキシレート）は５分以内に解乳化を開始したが、その他は３０分まで解乳化を開始しなかったことがわかる。Ｃ９〜１１アルコール＋４ＥＯおよびＣ９〜１１アルコール＋５．５ＥＯ（いずれも狭い範囲のエトキシレート）は、他よりも完全な分離を示す。これらの結果から、ＥＯ付加の数が少ない狭い範囲のアルコールエトキシレートは、ラノリン回収において、通常の範囲のものに対して利点を有することが明らかに実証される。対して、ノニルフェノール＋９ＥＯは、あったとしても少ししかラノリン濃度の高い層を示さず、代わりに全てのラノリンが水性層によく可溶化している。
【実施例４】
【００４５】
［低温安定性テスト］
洗剤は、通常、洗浄槽にポンプで送られるため、低温条件下における洗剤の安定性を研究することは重要である。表３に示す組成で一連の洗剤混合物を混合し、混合物を２℃および−２２℃で一晩保存した後の相挙動を観察した。
【００４６】
【表３】
2017503090.tif 000005
【００４７】
５種の混合物は全て、室温で透明な単相の液体に見えた。混合物は、２℃で一晩置くと濁った半透明の液体になった。いずれの混合物でも相分離は観察されなかった。混合物は、−２２℃で一晩置くと、相分離することなく白色の固体になった。低温（２および−２２℃）下においてこれらの混合物にゲル化または沈殿が起こらず、低温から取り出されると、振とうまたは混合を行わなくても、全てのサンプルが室温で放置されると透明な単相の液体に戻ることができたことは注目に値する。この研究により、これらの洗剤混合物が低温下において優れた安定性を示すことが実証される。したがって、これらの混合物はそれらの寒冷地の冬季における使用に適している。
【図１】
2017503090.tif 000007
【図２】
2017503090.tif 000008
【図３】
2017503090.tif 000009
【国際調査報告】
2017503090.tif 000010
2017503090.tif 000011
2017503090.tif 000012